(57)【要約】      （修正有）【課題】組立て式回旋マッサージヘッドの構造を提供する。【解決手段】回動部品と転車台及びマッサージヘッドからなり、回動部品に回動力を生成するモータが実装され、モータから各平面とも軸方向に垂直して、係止リブが突出する多辺状の伝動柱が伸び、転車台とマッサージヘッドの対向側に、それぞれ、第一リング状壁と第二リング状壁が設けられて組立てられ、上記第一、二リング状壁の内側に収納空間が形成され、その係合面に係合部が設けられ、また、転車台とマッサージヘッドのもう一側の表面に、連動柱と揉み面が形成され、中央に多辺状の連動孔が形成され、連動孔口縁に口径がやや大きい退避部が設けられ、その係止リブが突起した高さが連動孔と退避部との間に位置し、連動柱の周縁において、更に、間隔に二つの軸方向に平行する溝が形成され、二つの溝の間に設置された弾性シートの端部内側に、軸方向に垂直するように、係止ブロックが形成される。【選択図】図２
0003150062.tif 000002
【実用新案登録請求の範囲】
【請求項１】
回動部品と転車台及びマッサージヘートからなり、
回動部品に回動力を生成するモータが実装され、モータから各平面とも軸方向に垂直して、それぞれ、係止リブが突出する多辺状の伝動柱が伸び、
転車台とマッサージヘートの対向側に、それぞれ、第一リング状壁と第二リング状壁が設けられて、転車台とマッサージヘートが上記第一、二リング状壁が互いに嵌合することにより組立てられ、上記第一、二リング状壁の内側に収納空間が形成され、その係合面に係合部が設けられ、また、転車台とマッサージヘートのもう一側の表面に、それぞれ、連動柱と揉み面が形成され、上記連動柱が転車台の偏心位置に設置され、中央に多辺状の連動孔が形成され、連動孔口縁に口径がやや大きい退避部が設けられ、その係止リブが突起した高さが連動孔と退避部との間に位置し、連動柱の周縁において、更に、間隔に二つの軸方向に平行する溝が形成され、二つの溝の間に設置された弾性シートの端部内側に、軸方向に垂直するように、係止ブロックが形成される、
ことを特徴とする組立て式回旋マッサージヘートの構造。
【請求項２】
上記第一リング状壁の外径が第二リング状壁の内径よりやや小さくするようにして、マッサージヘートが、第二リング状壁が第一リング状壁に嵌合されて転車台に組立てられることを特徴とする請求項１に記載の組立て式回旋マッサージヘートの構造。
【請求項３】
上記第一リング状壁の収納空間に軸受が設置されることを特徴とする請求項２に記載の組立て式回旋マッサージヘートの構造。
【請求項４】
上記第一、二リング状壁の係合部は、リング状溝とリング状リブのように、設置されることを特徴とする請求項１に記載の組立て式回旋マッサージヘートの構造。
【請求項５】
上記転車台とマッサージヘートは、リベットを貫設することにより、その枢着がより確実になることを特徴とする請求項１に記載の組立て式回旋マッサージヘートの構造。
【請求項６】
上記転車台の溝は、端面から内へ向って切り掛ける一小段であることを特徴とする請求項１に記載の組立て式回旋マッサージヘートの構造。
【請求項７】
上記連動柱は転車台の延伸部分によって覆われ、同じように、溝が設けられることを特徴とする請求項１に記載の組立て式回旋マッサージヘートの構造。
【請求項８】
上記マッサージヘートの揉み面は多点式であることを特徴とする請求項１に記載の組立て式回旋マッサージヘートの構造。
【請求項９】
上記マッサージヘートの揉み面は、スポンジであることを特徴とする請求項１に記載の組立て式回旋マッサージヘートの構造。
【請求項１０】
上記マッサージヘートの揉み面は単点式であることを特徴とする請求項１に記載の組立て式回旋マッサージヘートの構造。
【考案の詳細な説明】
【技術分野】
【０００１】
本考案は、筋肉をマッサージして体をリラックスしてストレスを解消できる組立て式回旋マッサージヘートの構造に関し、特に、転車台とマッサージヘートを利用して、マッサージヘートが、揉み面で体に接触して、人工的なマッサージによる快適感を感じることができるものに関する。
【背景技術】
【０００２】
図１３は、従来の偏心式回旋マッサージ構造であり、回動部品６０とクランク７０、軸受８０及びマッサージヘート９０からなり、その回動部品６０は、回動力を生成するモータが実装され、モータからロック柱６１が伸び、クランク７０は、二つの上下に偏心する縦棒に、横棒が設置されるように一体形成され、上端部に、ロック孔７１が形成され、マッサージヘート９０は、上方と周縁が、ともに、揉み面９１であり、底部に、収納槽座９２が設置されて、貫通孔９３が形成される。
【０００３】
本考案によれば、図１４のように、クランク７０は、下方にある縦棒により、回動部品６０のロック柱６１に組立てられて、モータに連動され、軸受８０は、マッサージヘート９０の底部ある収納槽座９２に実装され、クランク７０の上方にある縦棒は、更に、軸受８０に結合され、ねじを貫通孔９３に貫通することにより、ロック孔７１にロックされ、これにより、回動部品６０が駆動されると、偏心に回動部品６０に設置されたクランク７０とマッサージヘート９０は、偏心状に、転動される。
【０００４】
上記の従来構造は、次の問題点があり、その回動部品６０とクランク７０及びマッサージヘート９０は、ねじ等の補助部品を利用して、組立てられるため、全体としてのコストが高くなり、また、ロックして組立てるために、時間が掛かり、また、ロック孔７１に螺着されたねじが、逆方向ねじにより、偏心転動を防止できるが、ねじが自動的に緩める現象が発生し、また、ねじの締まり方向が、マッサージヘート９０の転動方向に一致するため、マッサージヘート９０が転動すればするほど、そのねじが締められ、そのため、異なるマッサージヘート９０を交換することが難しくなる。
【０００５】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００６】
本考案の目的は、回動部品と転車台及びマッサージヘートが、手工具やねじ等の補助部品を使用しなくても、組立てることができるため、全体としてのコストを低減でき、また、組立ての手順を節約できる組立て式回旋マッサージヘートの構造を提供する。
【０００７】
本考案の他の目的は、転車台を逆方向に引き出すだけで、簡単に、マッサージヘートを取り外して、他の異なるマッサージヘートを転車台に実装できる組立て式回旋マッサージヘートの構造を提供する。
【０００８】
本考案の更に他の目的は、その偏心転動の反作用力が、転車台とマッサージヘートの相対回動により相殺され、ユーザが、マッサージ技術を良く知っている熟練者により、揉みマッサージを行うような快適感を得られる組立て式回旋マッサージヘートの構造を提供する。
【課題を解決するための手段】
【０００９】
本考案に係る組立て式回旋マッサージヘートの構造は、回動部品と転車台及びマッサージヘートが備えられ、回動部品に、回動力を生成できるモータが実装され、モータから伝動柱が伸び、伝動柱が、多辺状で、各平面とも軸方向に垂直して、それぞれ、係止リブが突出し、転車台とマッサージヘートの対向側に、それぞれ、第一リング状壁と第二リング状壁が設けられて、上記第一リング状壁の外径が、第二リング状壁の内径よりやや小さくて、マッサージヘートが、第二リング状壁により、第一リング状壁に嵌合され、そして、転車台に組立てられ、上記第一、二リング状壁の内側に、ともに、収納空間が形成され、その係合面に、リング状溝とリング状リブによる係合部が形成され、また、転車台とマッサージヘートのもう一側の表面に、それぞれ、連動柱と揉み面が設けられ、上記連動柱は、転車台の偏心位置に設置され、中央に、多辺状の連動孔が形成され、連動孔の口縁に、口径が比較的に大きい退避部が設けられ、その係止リブの突起高さが、連動孔と退避部の間に位置し、連動柱の周縁において、更に、間隔に、二つの軸方向に平行する溝が形成され、二つの溝の間に設置された弾性シートの端部内側に、軸方向に垂直するように、係止ブロックが形成される組立て式回旋マッサージヘートの構造である。
【００１０】
以下、図面を参照しながら、本考案の特徴や技術内容について、詳しく説明するが、それらの図面等は、参考や説明のためであり、本考案は、それによって制限されることが無い。
【図面の簡単な説明】
【００１１】
【図１】本考案の立体組立て図
【図２】本考案の立体分解図
【図３】本考案の組立て断面図
【図４】本考案の揉み状態図
【図５】本考案の他の角度の揉み状態図
【図６】本考案に多種類のマッサージヘートが適用される時の状態図
【図７】本考案のマッサージヘートを交換した時の揉み状態図
【図８】本考案の他のマッサージヘートを交換した時の揉み状態図
【図９】本考案の他の実施状態図
【図１０】本考案の更に他の実施状態図
【図１１】本考案の更に他の実施状態の立体分解図
【図１２】本考案の更に他の実施状態の組立て断面図
【図１３】従来の立体分解図
【図１４】従来の組立て断面図
【考案を実施するための最良の形態】
【００１２】
図1乃至図３を参照しながら、本考案は、回動部品１０と転車台２０及びマッサージヘート３０が備えられ、回動部品１０は、回動力を生成できるモータが実装され、モータから伝動柱１１が伸び、伝動柱１１は、多辺状で、各平面とも軸方向に垂直して、それぞれ、係止リブ１２が突出し、転車台２０とマッサージヘート３０の対向側に、それぞれ、第一リング状壁２１と第二リング状壁３１が設けられて、上記第一リング状壁２１の外径が、第二リング状壁３１の内径よりやや小さく、マッサージヘート３０が、第二リング状壁３１により、第一リング状壁２１に嵌合されて、転車台２０に組立てられ、上記第一、二リング状壁２１３１の内側に、ともに、収納空間２２３２が形成され、その係合面に、リング状溝とリング状リブによる係合部２３３３が形成され、また、転車台２０とマッサージヘート３０のもう一側の表面に、それぞれ、連動柱２４と揉み面３４が形成され、上記連動柱２４は、転車台２０の偏心位置に設置され、中央に、多辺状の連動孔２５が設けられ、連動孔２５の口縁に、更に、口径が比較的に大きい退避部２６が設けられ、その係止リブ１２の突起高さが、連動孔２５と退避部２６の間に位置し、連動柱２４の周縁において、更に、間隔に、二つの軸方向に平行する溝２７が形成され、上記二つの溝２７が、端面から内へ向って切り掛ける一小段であり、二つの溝２７の間に設置された弾性シート２８の端部内側に、軸方向に垂直するように、係止ブロック２９が形成される。
【００１３】
本考案によれば、図１と３のように、回動部品１０は、伝動柱１１にマッサージヘート３０の転車台２０が組立てられる状態で、連動柱２４の連動孔２５で、その外周に嵌合され、これにより、転車台２０が、モータに連動され、また、連動柱２４が、係止ブロック２９に係合して、係止リブ１２に抵当する時、上記抵当することによる力で、溝２７の設置に合わせて、主動的に弾性シート２８を外へ突き出して、係止ブロック２９が、スムーズに係止リブ１２を越え、係止ブロック２９が完全に越えると、その弾性シート２８が、自動的に回復でき、係止ブロック２９と係止リブ１２が互いに係止し、これにより、上記転車台２０と回動部品１０の組立てが終了され、連動柱２４に、係止リブ１２が退避できるように、比較的に大きい退避部２６が設けられ、組立てる時、係止リブ１２により干渉されて、完全に嵌入できない事情を防止できる。
【００１４】
本考案によれば、図４と５のように、回動部品１０のモータが駆動されると、伝動柱１１を介して、直接に、連動柱２４を連動させて、転車台２０が偏心に転動され、マッサージヘート３０が、揉み面３４で偏心回動して、体に接触する時、生成した反作用力が、転車台２０とマッサージヘート３０の相対回動により、相殺され、この時、上記マッサージヘート３０が、緩めに揉み状態になり、ユーザが、マッサージ技術を良く知っている熟練者により、揉みマッサージを行うような快適感を得られ、また、振動マッサージによる疼痛を防止でき、そして、回動部品１０と転車台２０及びマッサージヘート３０の組立ては、手で行うことができ、簡単に、マッサージヘート３０を交換でき（図６のように）、そのため、自由に、多点式揉みマッサージ効果を有するマッサージヘート３０や、顔部揉みマッサージのスポンジマッサージヘート３０Ａ（図７のように）、或いは単点式揉みマッサージのマッサージヘート３０Ｂ（図８のように）を選択でき、これにより、一機多用のマッサージ構造が実現される。
【００１５】
転車台２０とマッサージヘート３０との間にある収納空間２２３２に、軸受４０を増設してもよく、上記軸受４０により、転車台２０とマッサージヘート３０との間において、相対回動がよりスムーズになり（図９のように）、また、リベット５０を設置してもよく、それにより、転車台２０とマッサージヘート３０が、枢着され（図１０のように）、また、連動柱２４が、転車台２０の延伸部分２０１によって覆われ、同じように、溝２７が形成され（図１１と１２のように）、定位効果や安定性がよりよいマッサージ構造が実現される。
【００１６】
上記の具体的な実施例の構造によれば、次の利点が得られ、回動部品１０と転車台２０及びマッサージヘート３０は、手工具やねじ等の補助部品によらず、組立てられるため、全体としてのコストが低減され、組立ての手順が節約され、また、転車台２０を逆方向に引き出すだけで、簡単に、マッサージヘート３０を取り外して、他の異なるマッサージヘート３０を転車台２０に実装でき、そして、その偏心転動の反作用力が、転車台２０とマッサージヘート３０の相対回動により相殺され、ユーザが、マッサージ技術を良く知っている熟練者により、揉みマッサージを行うような快適感を得られる。
【００１７】
そのため、本考案は、より進歩的かつより実用的で、法に従って実用新案登録請求を出願する。
【００１８】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図１】
0003150062.tif 000003
【図２】
0003150062.tif 000004
【図３】
0003150062.tif 000005
【図４】
0003150062.tif 000006
【図５】
0003150062.tif 000007
【図６】
0003150062.tif 000008
【図７】
0003150062.tif 000009
【図８】
0003150062.tif 000010
【図９】
0003150062.tif 000011
【図１０】
0003150062.tif 000012
【図１１】
0003150062.tif 000013
【図１２】
0003150062.tif 000014
【図１３】
0003150062.tif 000015
【図１４】
0003150062.tif 000016
【手続補正書】
【提出日】平成21年2月17日(2009.2.17)
【手続補正１】
【補正対象書類名】明細書
【補正対象項目名】全文
【補正方法】変更
【補正の内容】
【考案の詳細な説明】
【技術分野】
【０００１】本考案は、筋肉をマッサージして体をリラックスしてストレスを解消できる組立て式回旋マッサージヘッドの構造に関し、特に、転車台とマッサージヘッドを利用して、マッサージヘッドが、揉み面で体に接触して、人工的なマッサージによる快適感を感じることができるものに関する。
【背景技術】
【０００２】図１３は、従来の偏心式回旋マッサージ構造であり、回動部品６０とクランク７０、軸受８０及びマッサージヘッド９０からなり、その回動部品６０は、回動力を生成するモータが実装され、モータからロック柱６１が伸び、クランク７０は、二つの上下に偏心する縦棒に、横棒が設置されるように一体形成され、上端部に、ロック孔７１が形成され、マッサージヘッド９０は、上方と周縁が、ともに、揉み面９１であり、底部に、収納槽座９２が設置されて、貫通孔９３が形成される。【０００３】    本考案によれば、図１４のように、クランク７０は、下方にある縦棒により、回動部品６０のロック柱６１に組立てられて、モータに連動され、軸受８０は、マッサージヘッド９０の底部ある収納槽座９２に実装され、クランク７０の上方にある縦棒は、更に、軸受８０に結合され、ねじを貫通孔９３に貫通することにより、ロック孔７１にロックされ、これにより、回動部品６０が駆動されると、偏心に回動部品６０に設置されたクランク７０とマッサージヘッド９０は、偏心状に、転動される。【０００４】    上記の従来構造は、次の問題点があり、その回動部品６０とクランク７０及びマッサージヘッド９０は、ねじ等の補助部品を利用して、組立てられるため、全体としてのコストが高くなり、また、ロックして組立てるために、時間が掛かり、また、ロック孔７１に螺着されたねじが、逆方向ねじにより、偏心転動を防止できるが、ねじが自動的に緩める現象が発生し、また、ねじの締まり方向が、マッサージヘッド９０の転動方向に一致するため、マッサージヘッド９０が転動すればするほど、そのねじが締められ、そのため、異なるマッサージヘッド９０を交換することが難しくなる。【０００５】    本考案者は、上記欠点を解消するため、慎重に研究し、また、学理を活用して、有効に上記欠点を解消でき、設計が合理である本考案を提案する。
【考案の概要】
【考案が解決しようとする課題】
【０００６】本考案の目的は、回動部品と転車台及びマッサージヘッドが、手工具やねじ等の補助部品を使用しなくても、組立てることができるため、全体としてのコストを低減でき、また、組立ての手順を節約できる組立て式回旋マッサージヘッドの構造を提供する。【０００７】本考案の他の目的は、転車台を逆方向に引き出すだけで、簡単に、マッサージヘッドを取り外して、他の異なるマッサージヘッドを転車台に実装できる組立て式回旋マッサージヘッドの構造を提供する。【０００８】本考案の更に他の目的は、その偏心転動の反作用力が、転車台とマッサージヘッドの相対回動により相殺され、ユーザが、マッサージ技術を良く知っている熟練者により、揉みマッサージを行うような快適感を得られる組立て式回旋マッサージヘッドの構造を提供する。
【課題を解決するための手段】
【０００９】本考案に係る組立て式回旋マッサージヘッドの構造は、回動部品と転車台及びマッサージヘッドが備えられ、回動部品に、回動力を生成できるモータが実装され、モータから伝動柱が伸び、伝動柱が、多辺状で、各平面とも軸方向に垂直して、それぞれ、係止リブが突出し、転車台とマッサージヘッドの対向側に、それぞれ、第一リング状壁と第二リング状壁が設けられて、上記第一リング状壁の外径が、第二リング状壁の内径よりやや小さくて、マッサージヘッドが、第二リング状壁により、第一リング状壁に嵌合され、そして、転車台に組立てられ、上記第一、二リング状壁の内側に、ともに、収納空間が形成され、その係合面に、リング状溝とリング状リブによる係合部が形成され、また、転車台とマッサージヘッドのもう一側の表面に、それぞれ、連動柱と揉み面が設けられ、上記連動柱は、転車台の偏心位置に設置され、中央に、多辺状の連動孔が形成され、連動孔の口縁に、口径が比較的に大きい退避部が設けられ、その係止リブの突起高さが、連動孔と退避部の間に位置し、連動柱の周縁において、更に、間隔に、二つの軸方向に平行する溝が形成され、二つの溝の間に設置された弾性シートの端部内側に、軸方向に垂直するように、係止ブロックが形成される組立て式回旋マッサージヘッドの構造である。【００１０】    以下、図面を参照しながら、本考案の特徴や技術内容について、詳しく説明するが、それらの図面等は、参考や説明のためであり、本考案は、それによって制限されることが無い。
【図面の簡単な説明】
【００１１】
【図１】本考案の立体組立て図
【図２】本考案の立体分解図
【図３】本考案の組立て断面図
【図４】本考案の揉み状態図
【図５】本考案の他の角度の揉み状態図
【図６】本考案に多種類のマッサージヘッドが適用される時の状態図
【図７】本考案のマッサージヘッドを交換した時の揉み状態図
【図８】本考案の他のマッサージヘッドを交換した時の揉み状態図
【図９】本考案の他の実施状態図
【図１０】本考案の更に他の実施状態図
【図１１】本考案の更に他の実施状態の立体分解図
【図１２】本考案の更に他の実施状態の組立て断面図
【図１３】従来の立体分解図
【図１４】従来の組立て断面図
【考案を実施するための最良の形態】
【００１２】図1乃至図３を参照しながら、本考案は、回動部品１０と転車台２０及びマッサージヘッド３０が備えられ、回動部品１０は、回動力を生成できるモータが実装され、モータから伝動柱１１が伸び、伝動柱１１は、多辺状で、各平面とも軸方向に垂直して、それぞれ、係止リブ１２が突出し、転車台２０とマッサージヘッド３０の対向側に、それぞれ、第一リング状壁２１と第二リング状壁３１が設けられて、上記第一リング状壁２１の外径が、第二リング状壁３１の内径よりやや小さく、マッサージヘッド３０が、第二リング状壁３１により、第一リング状壁２１に嵌合されて、転車台２０に組立てられ、上記第一、二リング状壁２１３１の内側に、ともに、収納空間２２３２が形成され、その係合面に、リング状溝とリング状リブによる係合部２３３３が形成され、また、転車台２０とマッサージヘッド３０のもう一側の表面に、それぞれ、連動柱２４と揉み面３４が形成され、上記連動柱２４は、転車台２０の偏心位置に設置され、中央に、多辺状の連動孔２５が設けられ、連動孔２５の口縁に、更に、口径が比較的に大きい退避部２６が設けられ、その係止リブ１２の突起高さが、連動孔２５と退避部２６の間に位置し、連動柱２４の周縁において、更に、間隔に、二つの軸方向に平行する溝２７が形成され、上記二つの溝２７が、端面から内へ向って切り掛ける一小段であり、二つの溝２７の間に設置された弾性シート２８の端部内側に、軸方向に垂直するように、係止ブロック２９が形成される。【００１３】    本考案によれば、図１と３のように、回動部品１０は、伝動柱１１にマッサージヘッド３０の転車台２０が組立てられる状態で、連動柱２４の連動孔２５で、その外周に嵌合され、これにより、転車台２０が、モータに連動され、また、連動柱２４が、係止ブロック２９に係合して、係止リブ１２に抵当する時、上記抵当することによる力で、溝２７の設置に合わせて、主動的に弾性シート２８を外へ突き出して、係止ブロック２９が、スムーズに係止リブ１２を越え、係止ブロック２９が完全に越えると、その弾性シート２８が、自動的に回復でき、係止ブロック２９と係止リブ１２が互いに係止し、これにより、上記転車台２０と回動部品１０の組立てが終了され、連動柱２４に、係止リブ１２が退避できるように、比較的に大きい退避部２６が設けられ、組立てる時、係止リブ１２により干渉されて、完全に嵌入できない事情を防止できる。【００１４】    本考案によれば、図４と５のように、回動部品１０のモータが駆動されると、伝動柱１１を介して、直接に、連動柱２４を連動させて、転車台２０が偏心に転動され、マッサージヘッド３０が、揉み面３４で偏心回動して、体に接触する時、生成した反作用力が、転車台２０とマッサージヘッド３０の相対回動により、相殺され、この時、上記マッサージヘッド３０が、緩めに揉み状態になり、ユーザが、マッサージ技術を良く知っている熟練者により、揉みマッサージを行うような快適感を得られ、また、振動マッサージによる疼痛を防止でき、そして、回動部品１０と転車台２０及びマッサージヘッド３０の組立ては、手で行うことができ、簡単に、マッサージヘッド３０を交換でき（図６のように）、そのため、自由に、多点式揉みマッサージ効果を有するマッサージヘッド３０や、顔部揉みマッサージのスポンジマッサージヘッド３０Ａ（図７のように）、或いは単点式揉みマッサージのマッサージヘッド３０Ｂ（図８のように）を選択でき、これにより、一機多用のマッサージ構造が実現される。【００１５】    転車台２０とマッサージヘッド３０との間にある収納空間２２３２に、軸受４０を増設してもよく、上記軸受４０により、転車台２０とマッサージヘッド３０との間において、相対回動がよりスムーズになり（図９のように）、また、リベット５０を設置してもよく、それにより、転車台２０とマッサージヘッド３０が、枢着され（図１０のように）、また、連動柱２４が、転車台２０の延伸部分２０１によって覆われ、同じように、溝２７が形成され（図１１と１２のように）、定位効果や安定性がよりよいマッサージ構造が実現される。【００１６】    上記の具体的な実施例の構造によれば、次の利点が得られ、回動部品１０と転車台２０及びマッサージヘッド３０は、手工具やねじ等の補助部品によらず、組立てられるため、全体としてのコストが低減され、組立ての手順が節約され、また、転車台２０を逆方向に引き出すだけで、簡単に、マッサージヘッド３０を取り外して、他の異なるマッサージヘッド３０を転車台２０に実装でき、そして、その偏心転動の反作用力が、転車台２０とマッサージヘッド３０の相対回動により相殺され、ユーザが、マッサージ技術を良く知っている熟練者により、揉みマッサージを行うような快適感を得られる。【００１７】そのため、本考案は、より進歩的かつより実用的で、法に従って実用新案登録請求を出願する。【００１８】以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【手続補正２】
【補正対象書類名】実用新案登録請求の範囲
【補正対象項目名】全文
【補正方法】変更
【補正の内容】
【実用新案登録請求の範囲】
【請求項１】
回動部品と転車台及びマッサージヘッドからなり、回動部品に回動力を生成するモータが実装され、モータから各平面とも軸方向に垂直して、それぞれ、係止リブが突出する多辺状の伝動柱が伸び、転車台とマッサージヘッドの対向側に、それぞれ、第一リング状壁と第二リング状壁が設けられて、転車台とマッサージヘッドが上記第一、二リング状壁が互いに嵌合することにより組立てられ、上記第一、二リング状壁の内側に収納空間が形成され、その係合面に係合部が設けられ、また、転車台とマッサージヘッドのもう一側の表面に、それぞれ、連動柱と揉み面が形成され、上記連動柱が転車台の偏心位置に設置され、中央に多辺状の連動孔が形成され、連動孔口縁に口径がやや大きい退避部が設けられ、その係止リブが突起した高さが連動孔と退避部との間に位置し、連動柱の周縁において、更に、間隔に二つの軸方向に平行する溝が形成され、二つの溝の間に設置された弾性シートの端部内側に、軸方向に垂直するように、係止ブロックが形成される、ことを特徴とする組立て式回旋マッサージヘッドの構造。
【請求項２】
上記第一リング状壁の外径が第二リング状壁の内径よりやや小さくするようにして、マッサージヘッドが、第二リング状壁が第一リング状壁に嵌合されて転車台に組立てられることを特徴とする請求項１に記載の組立て式回旋マッサージヘッドの構造。
【請求項３】
上記第一リング状壁の収納空間に軸受が設置されることを特徴とする請求項２に記載の組立て式回旋マッサージヘッドの構造。
【請求項４】
上記第一、二リング状壁の係合部は、リング状溝とリング状リブのように、設置されることを特徴とする請求項１に記載の組立て式回旋マッサージヘッドの構造。
【請求項５】
上記転車台とマッサージヘッドは、リベットを貫設することにより、その枢着がより確実になることを特徴とする請求項１に記載の組立て式回旋マッサージヘッドの構造。
【請求項６】
上記転車台の溝は、端面から内へ向って切り掛ける一小段であることを特徴とする請求項１に記載の組立て式回旋マッサージヘッドの構造。
【請求項７】
上記連動柱は転車台の延伸部分によって覆われ、同じように、溝が設けられることを特徴とする請求項１に記載の組立て式回旋マッサージヘッドの構造。
【請求項８】
上記マッサージヘッドの揉み面は多点式であることを特徴とする請求項１に記載の組立て式回旋マッサージヘッドの構造。
【請求項９】
上記マッサージヘッドの揉み面は、スポンジであることを特徴とする請求項１に記載の組立て式回旋マッサージヘッドの構造。
【請求項１０】
上記マッサージヘッドの揉み面は単点式であることを特徴とする請求項１に記載の組立て式回旋マッサージヘッドの構造。